(57)【特許請求の範囲】
【請求項１】
回転するブラシを有する洗車機本体と被洗浄車両とを前後方向に相対移動させながら液剤を噴射して前記被洗浄車両の洗車を行う洗車機において、
注入口を有して該液剤を貯液する貯液タンクと、
前記洗車機本体に設けられて前記貯液タンクを収納するタンク収納部と、
前記タンク収納部を開閉するタンク収納カバーと、
前記注入口を露出させる露出状態で前記タンク収納カバーの開成を規制する規制部と、
を備え、
前記露出状態から前記タンク収納カバーを所定方向に移動して前記規制部による前記タンク収納カバーの開成の規制を解除した際に、前記タンク収納カバーを取り外しできることを特徴とする洗車機。
【請求項２】
前記タンク収納部及び前記タンク収納カバーのいずれか一方に配した第１係合ピンが一端を開放して他方に配した第１溝部により前記タンク収納カバーの開閉時に案内されるとともに、
前記タンク収納部及び前記タンク収納カバーのいずれか一方に配した第２係合ピンが一端を開放して他方に配した第２溝部により前記タンク収納カバーの開閉時に案内され、
前記規制部が第１、第２溝部の少なくとも一方に設けた段差部と、前記段差部に当接する第１係合ピンまたは第２係合ピンと、によって形成されることを特徴とする請求項１に記載の洗車機。
【請求項３】
第１溝部及び第２溝部が前記タンク収納カバーの側面に配されて下端を開放するとともに、第１係合ピン及び第２係合ピンが前記タンク収納部に配され、
前記タンク収納カバーが下辺を開放して取り外された際に自立できることを特徴とする請求項２に記載の洗車機。
【請求項４】
第１係合ピンを第２係合ピンの上方に配し、前記タンク収納カバーが閉じた状態から前記露出状態に移行する際に第２係合ピンを中心に回転することを特徴とする請求項２または請求項３に記載の洗車機。
【請求項５】
第１溝部は前記タンク収納カバーを閉じた際に第１係合ピンに係合して前記タンク収納カバーの取り外しを規制する抜け止め部を有することを特徴とする請求項４に記載の洗車機。
【請求項６】
前記タンク収納カバーの上面の上方に突出して、前記タンク収納カバーを閉じた際に前記タンク収納部の周囲に当接する突出部を設け、
前記突出部と前記洗車機本体との互いに対向する面の一方に前記貯液タンクの内容物を識別表示したことを特徴とする請求項１〜請求項５のいずれかに記載の洗車機。
【発明の詳細な説明】
【技術分野】
【０００１】
本発明は、給油所等に設置して被洗浄車両の洗車を行う洗車機に関する。
【背景技術】
【０００２】
給油所等に設置される従来の洗車機は特許文献１に開示される。この洗車機は被洗浄車両のユーザの操作によって洗車条件が設定されると、被洗浄車両の洗車が受け付けられる。これにより、洗車が開始され、設定された洗車条件に基づいて被洗浄車両と洗車機本体とを前後方向に相対移動させながら被洗浄車両に液剤や洗浄水が噴霧される。
【０００３】
洗車時に供給される液剤は洗車機本体に設けられたタンク収納部に収納した貯液タンクから配管を介して供給される。貯液タンクの上部にはキャップにより塞がれた液剤の注入口が設けられている。そして、貯液タンクを収納し、蝶番で固定されたタンク収納カバーを開成して洗車機本体から注入口が露出する。これにより、スタッフによってキャップを取り外した注入口を介して貯液タンクに液剤を補充することができる。
【先行技術文献】
【特許文献】
【０００４】
【特許文献１】特開２０１０−１２９５４号公報
【発明の概要】
【発明が解決しようとする課題】
【０００５】
しかしながら、上記従来の洗車機によると、収納するタンク収納カバーは蝶番で固定されているため、タンクの交換や清掃、配管の補修等のメンテナンスを行う際にタンク収納カバーを外して分解する必要がある。このため、タンク収納カバーを取り出してのタンク交換等に手間がかかり、洗車機のメンテナンス性が悪い問題があった。
【０００６】
本発明は、メンテナンス性を向上できる洗車機を提供することを目的とする。
【課題を解決するための手段】
【０００７】
上記目的を達成するために本発明は、回転するブラシを有する洗車機本体と被洗浄車両とを前後方向に相対移動させながら液剤を噴射して前記被洗浄車両の洗車を行う洗車機において、注入口を有して該液剤を貯液する貯液タンクと、前記洗車機本体に設けられて前記貯液タンクを収納するタンク収納部と、前記タンク収納部を開閉するタンク収納カバーと、前記注入口を露出させる露出状態で前記タンク収納カバーの開成を規制する規制部と、を備え、前記露出状態から前記タンク収納カバーを所定方向に移動して前記規制部による前記タンク収納カバーの開成の規制を解除した際に、前記タンク収納カバーを取り外しできることを特徴とする。
【０００８】
この構成によると、洗車機本体が設定された洗車条件に基づいて被洗浄車両に対して前後方向に相対移動する。被洗浄車両には貯液タンクから配管を介して液剤が供給され、洗車機本体に設けた回転ブラシが被洗浄車両に摺動して被洗浄車両が洗車される。貯液タンクはタンク収納部に配され、タンク収納カバーを開いて注入口が露出するとタンク収納カバーが規制部により開成を規制される。この露出状態で貯液タンクに液剤が補充され、タンク収納カバーが閉じられる。また、露出状態からタンク収納カバーを所定方向に移動すると規制部の規制が解除され、タンク収納カバーを取り外してタンク収納部内のメンテナンスが行われる。
【０００９】
また、本発明は上記構成の洗車機において、前記タンク収納部及び前記タンク収納カバーのいずれか一方に配した第１係合ピンが一端を開放して他方に配した第１溝部により前記タンク収納カバーの開閉時に案内されるとともに、前記タンク収納部及び前記タンク収納カバーのいずれか一方に配した第２係合ピンが一端を開放して他方に配した第２溝部により前記タンク収納カバーの開閉時に案内され、前記規制部が第１、第２溝部の少なくとも一方に設けた段差部と、前記段差部に当接する第１係合ピンまたは第２係合ピンと、によって形成されることを特徴とする。
【００１０】
この構成によると、例えば、タンク収納部の壁面に第１係合ピン及び第２係合ピンが配され、タンク収納カバーに第１溝部及び第２溝部が形成される。第１溝部及び第２溝部の案内によって第１係合ピン及び第２係合ピンが相対的に移動し、タンク収納カバーを安定して開閉することができる。第１溝部または第２溝部に設けた段差部に第１係合ピンまたは第２係合ピンが当接するとタンク収納カバーの開成が規制され、注入口が露出する。また、段差部と第１係合ピンまたは第２係合ピンとの係合を解除すると、第１溝部及び第２溝部の開放端から第１係合ピン及び第２係合ピンが抜け出てタンク収納カバーが取り外される。第１係合ピン及び第２係合ピンをタンク収納カバーに設け、第１溝部及び第２溝部をタンク収納部に設けてもよい。また、第１係合ピン及び第２係合ピンの一方をタンク収納部に設け、他方をタンク収納カバーに設けてもよい。
【００１１】
また、本発明は上記構成の洗車機において、第１溝部及び第２溝部が前記タンク収納カバーの側面に配されて下端を開放するとともに、第１係合ピン及び第２係合ピンが前記タンク収納部に配され、前記タンク収納カバーが下辺を開放して取り外された際に自立できることを特徴とする。
【００１２】
また、本発明は上記構成の洗車機において、第１係合ピンを第２係合ピンの上方に配し、前記タンク収納カバーが閉じた状態から前記露出状態に移行する際に第２係合ピンを中心に回転することを特徴とする。
【００１３】
また、本発明は上記構成の洗車機において、第１溝部は前記タンク収納カバーを閉じた際に第１係合ピンに係合して前記タンク収納カバーの取り外しを規制する抜け止め部を有することを特徴とする。
【００１４】
この構成によると、例えば、第１係合ピンの下方を覆うようにして抜け止め部が形成され、抜け止め部によって第１係合ピンの下方への相対移動が規制されるため、意図しないタンク収納カバーの取り外しを防止することができる。
【００１５】
また、本発明は上記構成の洗車機において、前記タンク収納カバーの上面の上方に突出して、前記タンク収納カバーを閉じた際に前記タンク収納部の周囲に当接する突出部を設け、前記突出部と前記洗車機本体との互いに対向する面の一方に前記貯液タンクの内容物を識別表示したことを特徴とする。
【発明の効果】
【００１６】
本発明によると、メンテナンス性を向上できる洗車機を提供することができる。
【図面の簡単な説明】
【００１７】
【図１】本発明の第１実施形態の洗車機の全体構成を示す側面図
【図２】本発明の第１実施形態の洗車機の全体構成を示す正面図
【図３】本発明の第１実施形態の洗車機の全体構成を示す斜視図
【図４】本発明の第１実施形態の洗車機のタンク収納カバーを示す斜視図
【図５】本発明の第１実施形態の洗車機のタンク収納カバーを示す側面図
【図６】本発明の第１実施形態の洗車機のタンク収納カバーを閉じた状態を示す側面図
【図７】本発明の第１実施形態の洗車機のタンク収納カバーを開いた状態を示す側面図
【図８】本発明の第１実施形態の洗車機のタンク収納カバーを開いた状態を示す斜視図
【図９】本発明の第１実施形態の洗車機のタンク収納カバーを外した状態を示す側面図
【図１０】本発明の第２実施形態の洗車機のタンク収納カバーを閉じた状態を示す側面図
【発明を実施するための形態】
【００１８】
本発明の第１実施形態を図面を参照して説明する。図１、図２、図３は本実施形態の洗車機を示す側面図、正面図、斜視図である。洗車機ＷＡは洗車機本体１を備え、洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１９】
洗車機本体１は被洗浄車両ＣＡを跨ぐ門型に形成される。洗車機本体１の底面には地面に設けられた左右一対のレール２上に配される車輪３が設けられる。これにより、洗車機本体１はレール２上を走行して被洗浄車両ＣＡに対して前後に相対移動する。
【００２０】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、回転軸に布（織布、編布、不織布等）や樹脂繊維から成るブラシ毛を放射状に固着して形成される。
【００２１】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ毛を有している。
【００２２】
洗車機本体１の前面左側には洗剤やワックス等の各種液剤を貯液する複数の貯液タンク６０（図７参照）を収納するタンク収納部５０が設けられている。タンク収納部５０の前面はタンク収納カバー３０により開閉される。
【００２３】
タンク収納部５０の上方には市水及び各貯液タンクからの液剤を電磁弁等を介して分配する分配配管部５１がグロメット６２（図６参照）を介して設けられる。分配配管部５１には第１、第２浄水ノズル１１、１３、第１、第２洗剤ノズル１２、１５、撥水コートノズル１４、ワックスノズル１６が導出される。
【００２４】
第１、第２浄水ノズル１１、１２は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００２５】
また、洗車機本体１の中央上部にはトップ送風ノズル２１が設けられ、両側部にはサイド送風ノズル２２が設けられる。トップ送風ノズル２１及びサイド送風ノズル２２は昇降自在に配され、ブロワ２０からの送風を被洗浄車両ＣＡに対して吹き付けて乾燥させる。
【００２６】
洗車機本体１の前面上部には車両センサ８が設けられている。車両センサ８は光電センサや超音波センサ等から成り、洗車機本体１に進入する被洗浄車両ＣＡの有無を検知する。
【００２７】
洗車機本体１の一方の側部の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２８】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２９】
上記構成により、洗車機本体１が設定された洗車条件に基づいて被洗浄車両ＣＡに対して前後方向に相対移動する。そして被洗浄車両ＣＡには貯液タンク５０から液剤が供給され、洗車機本体１に設けた回転ブラシが被洗浄車両ＣＡに摺動して被洗浄車両ＣＡが洗車される。
【００３０】
図４、図５はタンク収納カバー３０の斜視図及び側面図である。タンク収納カバー３０は背面及び下辺３６を開放し、両側面３２、上面３１及び前面３４とが覆われる。
【００３１】
タンク収納カバー３０の上面３１の上方には突出してタンク収納カバー３０を閉じた際（図６参照）にタンク収納部５０の周囲に当接する突出部３３が設けられている。突出部３３は開閉の際に把持する取っ手３５が設けられている。突出部３３と洗車機本体１とをマグネットやネジなどにより固定してもよい。
【００３２】
図５はタンク収納カバー３０の側面図である。両側面３２には第１係合ピン６５（図６、図７参照）を案内する第１溝部４１と、第２係合ピン６６（図６、図７参照）を案内する第２溝部４３と、がそれぞれ設けられている。タンク収納カバー３０の下辺３６は前面３４と両側面３２とから構成され、コの字状の屈曲した底面となる。このため、タンク収納部５０から取り外されたタンク収納カバー３０は下辺３６を接地して自立可能とされる。
【００３３】
第１溝部４１は上下方向に延びて形成され、下端に開放端４１Ａを有している。第１溝部４１の上端には前方に突出する抜け止め部４１Ｂが形成される。第１溝部４１の背面には後方に突出する段差部４１Ｄが設けられる。抜け止め部４１Ｂと段差部４１Ｄとの間は中間点４１Ｃから前後にそれぞれ直線状に延びる壁面により連結され、第１溝部４１の上面４１Ｅを形成する。
【００３４】
第２溝部４３は第１溝部４１の前方に配されて上下方向に延びて形成され、下方に開放端４３Ａを有している。また、第２溝部４３は第１溝部４１よりも上下方向に短く、第２溝部４３の上端４３Ｂは第１溝部４１の上端よりも下方に配される。
【００３５】
図６はタンク収納カバー３０を閉じた閉成状態を示す側面図である。第１係合ピン６５及び第２係合ピン６６はタンク収納部５０の側壁に突設され、第１係合ピン６５の鉛直下方に第２係合ピン６６が配される。タンク収納カバー３０の閉成状態では第１溝部４１の抜け止め部４１Ｂに第１係合ピン６５が係合し、第２溝部４３の上端４３Ｂに第２係合ピン６６が当接する。
【００３６】
この時、第１、第２係合ピン６５、６６が鉛直方向に並び、第１溝部４１の抜け止め部４１Ｂと第２溝部４３の上端４３Ｂとが前後にずれて配されるため、タンク収納カバー３０の前面は上方が突出するように傾斜する。また、第１係合ピン６５は下方を覆う抜け止め部４１Ｂによって下方への相対移動が規制されるため、タンク収納カバー３０が抜け止めされる。これにより、意図しないタンク収納カバー３０の取り外しを防止することができる。
【００３７】
閉成状態からタンク収納カバー３０を開いていくと、第２係合ピン６６は第２溝部４３の上端４３Ｂに略当接した状態を維持し、タンク収納カバー３０は第２係合ピン６６を中心に回転する。一方、第１係合ピン６５は第１溝部４１の抜け止め部４１Ｂから離れ、上面４１Ｅに沿って相対移動する。
【００３８】
そして、図７に示すように、第１係合ピン６５が段差部４１Ｄに当接すると、タンク収納カバー３０の開成が規制され、注入口６１が露出した露出状態となる。従って、第１係合ピン６５及び段差部４１Ｄはタンク収納カバー３０の開成を規制する規制部を構成する。露出状態で洗車スタッフは注入口６１から液剤を貯液タンク６０に注入して補充することができる。
【００３９】
この時、図８の斜視図に示すように、洗車機本体１のタンク収納部５０の周囲に突出部３３に対向して配されたシール６３が露出する。シール６３は貯液タンク６６の内容物を識別表示し、タンク収納カバー３０を開いた露出状態で貯液タンク６６の内容物を識別することができる。尚、突出部３３の洗車機本体１に対向する面にシール６３を設けてもよい。
【００４０】
図７に示す露出状態からタンク収納カバー３０の下方を手前に回動させながら上方に引き上げると、第１係合ピン６５が段差部４１Ｄから離れる。これにより、タンク収納カバー３０の開成の規制が解除される。そして、図９に示すように、矢印Ｄの方向にタンク収納カバー３０を引き上げると、第１、第２係合ピン６５、６６が第１、第２溝部４１、４３の開放端４１Ａ、４３Ａから抜け出る。これにより、タンク収納カバー３０を取り外すことができ、貯液タンク６０の交換や分配配管部５１の補修等のメンテナンスを行うことができる。
【００４１】
本実施形態によると、タンク収納部５０を開閉するタンク収納カバー３０の開成を注入口６１が露出する露出状態で規制する規制部（段差部４１Ｄ及び第１係合ピン６５）を備えている。これにより、タンク収納カバー３０を開いた状態を保持して貯液タンク６０に液剤を容易に注入できる。また、露出状態から所定方向にタンク収納カバー３０を移動して開成の規制を解除することによってタンク収納カバー３０を取り外しできるので、タンク収納部５０内のメンテナンスを容易に行うことができる。
【００４２】
また、タンク収納部５０に第１、第２係合ピン６５、６６を設けるとともに、タンク収納カバー３０に第１、第２係合ピン６５、６６を案内する第１、第２溝部４１、４３を設け、第１溝部４１に第１係合ピン６５が当接する段差部４１Ｄを設けている。これにより、第１、第２係合ピン６５、６６により２箇所でタンク収納カバー３０を支持して安定してタンク収納カバー３０を開閉することができる。また、露出状態でタンク収納カバー３０の開成を規制する規制部を段差部４１Ｄ及び第１係合ピン６５によって容易に実現することができる。
【００４３】
尚、第１係合ピン６５及び第２係合ピン６６をタンク収納カバー３０に設け、第１溝部４１及び第２溝部４３をタンク収納部５０に設けてもよい。また、第１係合ピン６５及び第２係合ピン６６の一方をタンク収納部５０に設け、他方をタンク収納カバー３０に設けてもよい。
【００４４】
また、タンク収納カバー３０が下辺３６を開放して自立可能に形成され、下端を開放した第１、第２溝部４１、４３を有する。これにより、取り外したタンク収納カバー３０を自立した際に地面によって汚れる面積を少なくすることができる。
【００４５】
また、第１係合ピン６５を第２係合ピン６６の上方に配置し、タンク収納カバー３０が閉じた状態から露出状態に移行する際に第２係合ピン６６を中心に回動する。これにより、タンク収納カバー３０を容易に開閉させることができる。
【００４６】
また、タンク収納カバー３０を閉じた際に抜け止めする抜け止め部４１Ｂを設けたので、意図しないタンク収納カバー３０の取り外しを防止することができる。
【００４７】
また、タンク収納カバー３０の上方に突出してタンク収納部５０に当接する突出部３３と洗車機本体１との互いに対向する面の一方に貯液タンク６０の内容物を識別表示している。これにより、貯液タンク６０が漏れても識別表示部分が汚れにくく、タンク収納カバー３０を開いて貯液タンク６０の内容物を容易に識別することができる。
【００４８】
（第２実施形態）
次に、図１０は第２実施形態の洗車機１のタンク収納カバー３０を閉じた状態を示す側面図である。説明の便宜上、前述の図１〜図９に示す第１実施形態と同様の部分には同一の符号を付している。本実施形態は、第１実施形態に対してタンク収納カバー３０の構成が異なり、洗車機本体１の前面にはタンク収納部５０の上方に凹部１ａが設けられる。その他の部分は第１実施形態と同様である。
【００４９】
洗車機本体１の前面に設けられる凹部１ａはタンク収納部５０に臨み、タンク収納カバー３０は凹部１ａの前面を覆うように上下方向に延びて形成される。タンク収納カバー３０を開いた際に露出した貯液タンク６０の注入口６１に凹部１ａを介して液剤が注入される。
【００５０】
タンク収納カバー３０の側面には第１実施形態と同様の第１、第２溝部４１、４３が設けられる。第１溝部４１の抜け止め部４１Ｂは前方に延び、抜け止め部４１Ｂと第２溝部４３の上端４３Ｂとが前後方向に同じ位置に配される。これにより、タンク収納カバー３０の閉成状態で洗車機本体１の前面とタンク収納カバー３０の前面とが同一面に配される。
【００５１】
また、第１溝部４１の上面４１Ｅは閉成状態の第２係合ピン６６を中心とした円弧状に形成される。これにより、タンク収納カバー３０は開かれる際に第２係合ピン６６が第２溝部４３の上端４３Ｂに当接した状態で回動する。
【００５２】
本実施形態によると、第１実施形態と同様の効果を得ることができる。また、タンク収納カバー３０の閉成状態で洗車機本体１の前面とタンク収納カバー３０の前面とが同一面に配されるので、洗車機ＷＡの美感を向上することができる。
【００５３】
第１、第２実施形態において、タンク収納カバー３０が回動するが、前後にスライドしてもよい。即ち、タンク収納カバー３０に設けた第１、第２溝部４１、４３を前後に延びて上下に並設し、後端を開放する。これにより、第１、第２係合ピン６５、６６を第１、第２溝部４１、４３により案内してタンク収納カバー３０を前後にスライドさせることができる。この時、段差部４１Ｄを第１溝部４１に設けてもよく、第２溝部４３に設けてもよい。また、段差部４１Ｄを第１溝部４１と第２溝部４３との両方に設けてもよい。
【００５４】
尚、上記と同様に、第１係合ピン６５及び第２係合ピン６６をタンク収納カバー３０に設け、第１溝部４１及び第２溝部４３をタンク収納部５０に設けてもよい。また、第１係合ピン６５及び第２係合ピン６６の一方をタンク収納部５０に設け、他方をタンク収納カバー３０に設けてもよい。
【産業上の利用可能性】
【００５５】
本発明によると、給油所等に設置して被洗浄車両の洗車を行う洗車機に利用することができる。
【符号の説明】
【００５６】
１      洗車機本体
４      トップブラシ
４Ａ    回転軸
５      サイドブラシ
６      ロッカーブラシ
７      操作パネル
７Ａ    リモートパネル
４１    第１溝部
４１Ａ  開放端
４１Ｂ  第１閉成端
４１Ｃ  中間端
４１Ｄ  第１開成端（抜け止め部、段差部）
４３    第２溝部
４３Ａ  開放端
４３Ｂ  開閉端
５０    タンク収納部
６５    第１係合ピン
６６    第２係合ピン
ＣＡ    被洗浄車両
ＷＡ    洗車機
【図１】
0005482714.tif 000002
【図２】
0005482714.tif 000003
【図３】
0005482714.tif 000004
【図４】
0005482714.tif 000005
【図５】
0005482714.tif 000006
【図６】
0005482714.tif 000007
【図７】
0005482714.tif 000008
【図８】
0005482714.tif 000009
【図９】
0005482714.tif 000010
【図１０】
0005482714.tif 000011